(57)【要約】【解決手段】ドアの枠(22)内に設けられたチャネル(16、24)を通って経路が定められると共に、全部か又は部分的に視界から隠されたアンテナコイル(18)を有する、ドア(10、12、14)とドアの組立て方法。ドアは、アンテナ(18)の少なくとも一部分をその中に保持するように大きさの合わせられた、チャネル(16)又はトラフ(24)を有する。ドア(10、12、14)はアンテナ線(18)をその中に埋め込んでおり、アンテナ線の隠された状態で購入され、アンテナ線を台座に取り付けることや、アンテナコイルを埋設するために床および／または壁を掘り起こすことの必要なしに、事業所に設置することができる。既存のドアをアンテナ線が設置できるように改造できる。そのようなアンテナ(18)は、例えばＲＦＩＤ標識システムあるいは磁気音響的ＥＡＳ標識システムの中で、使用されてもよい。
2009545070.tif 000002
【特許請求の範囲】
【請求項１】
ドアを用意する工程と；
前記ドア内に小溝を組込む工程であって、各小溝がアンテナの少なくとも一部分を保持するように大きさを合わせられている工程と；
１個以上の前記小溝内に、前記アンテナの少なくとも一部分を挿入する工程と；
を有することを特徴とする埋込み型アンテナを有するドアの組立て方法。
【請求項２】
１個以上の前記小溝に挿入した後で、前記アンテナの何れの部分も見えないようにすることを特徴とする請求項１に記載の埋込み型アンテナを有するドアの組立て方法。
【請求項３】
前記ドアが木製であることを特徴とする請求項１に記載の埋込み型アンテナを有するドアの組立て方法。
【請求項４】
前記ドアが金属製であることを特徴とする請求項１に記載の埋込み型アンテナを有するドアの組立て方法。
【請求項５】
さらに、前記金属製ドアの枠にエアギャップを設ける工程を有することを特徴とする請求項４に記載の埋込み型アンテナを有するドアの組立て方法。
【請求項６】
前記ドアがガラス製であることを特徴とする請求項１に記載の埋込み型アンテナを有するドアの組立て方法。
【請求項７】
さらに、対向するガラス板を設ける工程を有し、ここで前記アンテナの少なくとも一部分が前記ガラス板の間に挿入されたことを特徴とする請求項６に記載の埋込み型アンテナを有するドアの組立て方法。
【請求項８】
さらに、前記ドアの隣接した領域に共振コンデンサ基板が挿入される工程を有することを特徴とする請求項１に記載の埋込み型アンテナを有するドアの組立て方法。
【請求項９】
１個以上の各前記小溝が、複数のアンテナコイルを保持するように大きさが定められたことを特徴とする請求項１に記載の埋込み型アンテナを有するドアの組立て方法。
【請求項１０】
１個以上の各前記小溝が、単一のアンテナコイルを保持するように大きさが定められたことを特徴とする請求項１に記載の埋込み型アンテナを有するドアの組立て方法。
【請求項１１】
前記アンテナが、電子商品監視（ＥＡＳ）呼掛信号システムの一部であることを特徴とする請求項１に記載の埋込み型アンテナを有するドアの組立て方法。
【請求項１２】
前記アンテナが、無線周波数識別（ＲＦＩＤ）呼掛信号システムの一部であることを特徴とする請求項１に記載の埋込み型アンテナを有するドアの組立て方法。
【請求項１３】
埋込み型アンテナがその中にあるドアであって；
前記ドアに１個以上のアンテナ保持小溝を設け；
ここで少なくとも１個の小溝が前記アンテナの少なくとも一部分を保持するように大きさを合わせられることを特徴とするドア。
【請求項１４】
前記アンテナの何れの部分も見えないことを特徴とする請求項１３に記載のドア。
【請求項１５】
前記ドアが木製であることを特徴とする請求項１３に記載のドア。
【請求項１６】
前記ドアが金属製であることを特徴とする請求項１３に記載のドア。
【請求項１７】
さらに、前記金属製ドアの枠にエアギャップを設けたことを特徴とする請求項１６に記載のドア。
【請求項１８】
前記ドアがガラス製であることを特徴とする請求項１３に記載のドア。
【請求項１９】
さらに、対向するガラス板を設け、ここで前記アンテナの少なくとも一部分が前記ガラス板の間に挿入されたことを特徴とする請求項１８に記載のドア。
【請求項２０】
少なくとも一個の小溝が、共振コンデンサ基板の一部分を保持するように大きさが定められたことを特徴とする請求項１３に記載のドア。
【請求項２１】
１個以上の各前記小溝が、複数のアンテナコイルを保持するように大きさが定められたことを特徴とする請求項１３に記載のドア。
【請求項２２】
１個以上の各前記小溝が、単一のアンテナコイルを保持するように大きさが定められたことを特徴とする請求項１３に記載のドア。
【請求項２３】
１個以上の各前記小溝のうち少なくとも一個の小溝が、複数のアンテナコイルを保持するように大きさが定められたことを特徴とする請求項１３に記載のドア。
【請求項２４】
前記アンテナが、電子商品監視（ＥＡＳ）呼掛信号システムの一部であることを特徴とする請求項１３に記載のドア。
【請求項２５】
前記アンテナが、無線周波数識別（ＲＦＩＤ）呼掛信号システムの一部であることを特徴とする請求項１３に記載のドア。
【発明の詳細な説明】
【技術分野】
【０００１】
本発明は、アンテナに関し、さらに詳しくは、目立つアンテナがなく監視を行なう施設の出口／入口で埋込み型アンテナを備えたドアが設置されるように、その枠組み内にアンテナを一体化したドアに関する。
【背景技術】
【０００２】
監視システムでは、電子商品監視（ＥＡＳ)アンテナや無線周波数（ＲＦ）アンテナのようなアンテナが、事業所内の商品に設けられ、無線周波数ID（ＲＦＩＤ）や磁気音響の標識のような標識で受信される呼掛信号を送信する。標識はアンテナに対応する信号を返信する。このように、アンテナと標識の間の相互作用は、小売店のような事業所に商品用のセキュリティ装置を提供できる呼掛信号ゾーンを設定する。従来の監視システムは、典型的に店舗の入口の近くに位置している台座（pedestal）に設置されるアンテナを有する。しかしながら、台座が貴重な空間を占有して、美的外観を損なうので、典型的には小店舗主が台座をあまり望まない。
【０００３】
小規模小売店が直面した前述の問題に対して試みられた１つの解決策では、床、壁および／または天井に送信機と受信機のコイルを隠している。これは、依然として商品セキュリティ装置を保持しながら、小売り業者には価値のある床、壁、カウンター空間を利用することを可能にする。しかしながら、この試みられた解決策でしばしば生じる問題としては、既設構造物中に埋め込むコイルに関連したひどく高い建設コストがある。仮に店舗主がこれらのコストを払うとしても、このような建設作業は、賃貸借状況、一階以外のフロア、あるいは厳しい建築規則で管理されたモールでは時々許可されない。
【０００４】
試みられた他の解決策は、出入口の周囲に経路指定されたループアンテナや、ドア枠上で外部的に取り付けたループアンテナを含んでいる。各々は固有の問題を含んでいる。前者の場合には、出入口の周囲にループアンテナの経路指定をすることで、無用の建設コストに結びつく床の掘削を含んでいる。後者の試みでは、見苦しいワイヤーが目立つという課題を有する。上記の解決策では、アンテナをできるだけ目立たなくするように店の装飾と十分にアンテナを融和させていないので、上記の解決策は失敗である。さらに、上記の解決策のアンテナ設置は困難で、高価で、店の床張り材料に影響を及ぼし、効率的で有効な監視システムを備えていない。
【０００５】
したがって、必要なものは、次のようなドア構造にアンテナを一体化したドアである。即ち、アンテナが明瞭な視界から隠されるもので、また設置の時にアンテナ対応型のドアを注文し、かつもし望まれれば、店舗内に重大な影響を生じず、時間がかからず、および／または高価な構築に該当することなく、後で電子システムを加える設備を可能にすることである。
【発明の概要】
【０００６】
本発明はアンテナの場所および配置に関する技術な不備を解決するものである。ＥＡＳアンテナやＲＦアンテナのようなアンテナは、検出区域、つまり「呼掛信号区域」、内の商品に設置された標識で受け取られる呼掛信号を送る。標識はアンテナに対応する信号を返信する。商品監視システムの上記型式で使用されるアンテナは、典型的には台座に床マウントされる。台座は商品のために通常指定される貴重な場所を占有して目障りである。この点に関しては、ドアおよびドアを組立てる方法が用意され、それによってアンテナコイルはドアの枠内の小溝（channel）を通る経路を定められ、そして視界から完全に又は部分的に隠される。店舗主は「アンテナ対応型」ドアを購入し、ドアを設置し、埋め込まれたアンテナ線にシステムの他の部品を接続することができる。この方法では、アンテナ線はドア内部で視界から隠され、それにより、目障りな台座を一掃でき、床および／または壁空間を増加できる。
【０００７】
一つの態様によれば、埋込み型アンテナをその中に有するドアを組立てる方法が提供される。この方法はドアを提供し、ドア内に１個以上の小溝を組込み、各小溝がアンテナの少なくとも一部分を保持するように大きさを合わせられる場合で、１個以上の小溝内にアンテナの少なくとも一部分を挿入するものである。
【０００８】
本発明の別の態様によれば、埋込み型アンテナをその中に有するドアが提供される。ドアは１個以上のアンテナ保持小溝を有し、少なくとも１個の小溝はアンテナの少なくとも一部分を保持するように大きさを合わせられる。
【０００９】
本発明の追加の態様は、一部分が後に続く箇所で記述され、一部分はその記述から明白になるが、発明の実践によって知得するものであってもよい。発明の態様は、添付された請求項で特に指摘された要素と組合せによって実現され到達される。請求の範囲に記載されるように、前述の概説および以下の詳述の両方は専ら典型的で説明的に過ぎず、発明に対して限定的ではないように理解すべきである。
【図面の簡単な説明】
【００１０】
添付の図面は、この明細書に組み込まれ、この明細書の一部を構成するものである。添付の図面は、発明の実施例を図示し、発明の詳細な説明の記述と共に、発明の原理について説明する役目を果たす。ここに図示された実施例は現在好まれるものであるが、しかし、本発明は説明された配置や手段に厳格に制限されるものではないと了解される。そこで：
【００１１】
【図１】図１は、本発明の原理に従って埋込み型アンテナを有する１組の木製扉の図である；
【図２】図２は、本発明の原理に従って埋込み型アンテナを有する１組の金属製ドアの図である；
【図３】図３は、本発明の原理に従って埋込み型アンテナを有する１組のガラス扉の図である；
【図４】図４は、図１から図３の断面Ａ−Ａに沿って得られた断面図である；
【図５】図５は、図１から図３の断面Ａ−Ａに沿って得られた代替物の断面図である；
【図６】図６は、重なるループアンテナおよび埋込み型コンデンサ基板がある１組の金属製ドアの図である；
【図７】図７は、それによってコンデンサ基板が遠隔に設けられる、重なる導体ループがある１組の金属製ドアの図である。
【発明を実施するための形態】
【００１２】
本発明は、小溝や案内部を含んで構成されるドアやドアを組立てる有利な方法を提供する。ここで、案内部は商品監視システムの一部であるアンテナの１本以上の導体を収容する。本発明の原理に従って構成した装置が参照番号１０として図１に図示される。図面において同じ参照番号は同じ要素を示す。装置10は１組のドア１２、１４を有する。ドア１２、１４は任意の寸法や材料でよく、施設内のいかなる場所にも設けられてもよい。
【００１３】
一実施例では、ドア１２、１４は、小売店のような施設中の入口／出口場所の近くに位置している。各ドア１２、１４は、各ドア内に１個以上の小溝１６を含んでいる。小溝１６は、アンテナ線１８が視界から隠されるか、少なくとも部分的に人目につかなくなるように、アンテナ線１８を保持する大きさに、ドア内部の一部として作り上げられる。図１は、説明の目的のためだけに、2枚のドア１２、１４を示す。本発明はドアの数や位置に制限されない。アンテナ１８はＥＡＳアンテナになりえるもので、例えば、磁気音響的標識システム用のアンテナ、ＲＦＩＤ標識システム用のRFアンテナ、あるいは標識に通信信号を送信し、標識は入力信号を検知するような別の型のアンテナが、ここで使用されてもよい。
【００１４】
アンテナ１８は、施設内の監視活動に使用される監視システムの一部である。アンテナ１８は、所定時間間隔で送信機能から受信機能に転じるために切換えと制御を提供する制御装置(図示せず)と連動する、トランシーバー・アンテナとして構成されてもよい。アンテナ１８内に送信用と受信用の別々のケーブルがあってもよいことは、当業者に明らかである。アンテナ１８は、施設内の一定の呼掛信号区域をカバーする電磁気信号を放射する。
【００１５】
小売店のような施設の内部内では、様々な標識は、呼掛信号区域内に保護されるアイテムや資産に設けられる。標識がアイテムから取り除かれないか、呼掛信号区域に入る前に非活性化されなければ、アンテナ１８によって設定された電磁界は標識からの応答を引き起こす。この応答は、アンテナ１８の受信ケーブルやトランシーバ・ケーブルによって受信される。
【００１６】
図１では、１組の木製ドア１２、１４はループアンテナ１８を入れている小溝１６を有する。小溝１６はドア１２およびドア１４の枠内で経路を形成するように設けることができる。この実施例では、各ドア１２、１４は、図１に破線で示される2個のループアンテナ線１８を有する。埋込み型アンテナ線１８は図１に示される配置の中にある必要がない。例えば、単一の小溝１６は、各ドアの周囲に提供され、それは各ドア内の単一の埋め込まれたループアンテナ１８になる。
【００１７】
他のループアンテナ１８位置を決定することも本発明の範囲内である。ドア１２、１４は小溝１６をその中に組込んだ状態で購入されてもよい。小売店は、必要な呼掛信号区域のサイズ等を店舗が必要とすることや、適切に呼掛信号区域を監視するために必要とされるアンテナ線の量に依存して、特定の小溝経路を備えた１枚以上のドアを求めてもよい。小売店は、小溝１６を備えたドアを受取った後に、アンテナ線１８を小溝１６内に差し込んでもよいし、第三者にこの手順を行なってもらうか、あるいは単にアンテナ線１８をその中に埋め込んだ状態のドア１２および／またはドア１４を購入してもよい。
【００１８】
ドア１２、１４は、任意の角度から見た時、埋込み型アンテナ線１８を見えにくくするか、あるいは別の実施例では、アンテナ１８の一部を隠す。台座上に導体１８を取り付けることは、目障りで、場所が制限されていてプレミアム付きである場合には、困難であるが、これとは対照的に、アンテナ線１８がドア枠の内部内に隠蔽されるので、結果として魅力的な美的外観となる。図１に示される木製ドア１２、１４は、専ら具体例のために過ぎず、本発明は木製ドアや特定材料のドアに制限されるものではない。
【００１９】
例えば、図２では、本発明の特徴を具体化する１組の金属製ドア１２、１４が示される。この実施例では、各ドア１２、１４は１組の導体ループ１８をその中に有する。各ループ１８は各ドアの中で小溝１６を通って経路が定められる。金属製ドア１２、１４中の小溝１６は、例えば、ドア１２およびドア１４の枠部材の押出しによって形成できる。この例において、小溝１６は各ドア枠の周囲に経路が定められる。木製ドアは、典型的にはドアに窓や別の開口も有していないが、木製ドアと異なり、金属製ドア１２、１４は各々窓２０を有する。
【００２０】
このように、視界からアンテナ線１８を隠すために、アンテナ線１８は、各ドア１２、１４の周囲内に提供される小溝１６に経路が定められる。各ドア１２、１４の周囲は不透明で、それにより、視界からアンテナ１８を隠す。アンテナ１８が監視システムの性能に悪影響を与える金属製ドア枠中の電流を誘導するのを防ぐために、典型的にエアギャップ22が金属製ドア１２、１４の枠内に設けられる。
【００２１】
図３は、ガラス扉１２、１４と共に使用される本発明を図示する。アンテナ線１８は、外部から見えないか、少なくとも部分的に隠れるように、前と同じようにドアの内部内に経路が定められる。ガラス扉１２、１４は、典型的に対向するガラス板で構成される。従って、例えば、ドア１２は、その間にエアギャップを有する、対向するガラス板で構成されてもよい。これらのガラス板はドア１２の正面と裏面を形成する。アンテナコイル１８は小溝１６内に経路が定められ、そして各ガラス板間にある。同じ構成はガラス扉１４に使用されてもよい。代替の実施例では、アクリルシートをガラスドア枠内に差し込むことができ、アンテナ１８がアクリルシート内に埋め込まれる。
【００２２】
図4は、図１から図３の断面Ａ−Ａに沿って得られた断面図である。図4は、本発明の一実施例をドア１２、１４の枠で図示するもので、これによって単一のアンテナコイル１８は対応する小溝１６内に経路を定められ隠される。図4に示される実施例では、ドア１２の断面は図１のラインＡ−Ａに沿って示される。ドア枠２２は一組の長手方向の小溝１６を有する。各小溝１６内では、単一のアンテナコイル１８がある。このように、アンテナコイル１８はそれぞれ対応する小溝１６内に隠され、ドア枠２２に埋め込まれ、また少なくとも部分的に視界から隠される。
【００２３】
図５は、図１から図３の断面Ａ−Ａに沿って得られた代替物の断面図である。この実施例では、図５に描かれるように、単一の信号ケーブル組立品２６が単一のトラフ２４内に差し込まれる。この実施例では、枠２２内に単一のトラフ２４だけが必要である。もっとも、枠２２内に多数のトラフ２４を有することは本発明の範囲内である。ケーブル組立品２６には、監視システムのアンテナ線１８をすべて入れていてもよい。この構成では、単一のトラフ２４がドア枠２２内に経路を定められる。ガラス扉が使用されている場合には、トラフ２４およびその中にケーブル組立品２６を有する一枚のガラス板が、対向ガラス板に対して「サンドイッチ」状態にされている。
【００２４】
図6は、発明の代替の実施例を図示する。図2に示される実施例でのように、一本はドア１２に、一本はドア１４に設けられた１組のループアンテナ１８が示される。しかしながら、この実施例では、ドア１２、ドア１４の上部導体ループ１８Aと、ドア１２、１４の下部導体ループ１８Bの間にオーバーラップがある。この実施例は、本発明の融通性を例証する。小溝１６は、異なるＥＡＳループアンテナからのアンテナ線１８を保持し、かつ／または1本以上のワイヤーを入れていてもよい。
【００２５】
図6に図示されるドア１２の中には、埋込み型の共振コンデンサ基板２８が設けてある。コンデンサ基板２８は、ドア１２、１４の枠内で別々のトラフ２４内に隠されるような、いかなる場所に埋め込まれてもいい。コンデンサ基板２８は、埋め込まれたアンテナ１８と同じように、視界から隠される。図７に示されるような、代替の実施例中では、コンデンサ基板２８はドア１２、１４内に埋め込まれず、埋込み型アンテナ線１８との電気的な通信ができる程度にドアに隣接した、異なる位置に位置している。
【００２６】
上述されたコンデンサ基板２８は、埋込み型アンテナコイル１８と物理的に隣接している必要がない。コンデンサ基板２８は典型的にはアンテナ１８と並列接続又は直列接続の1個以上の共振コンデンサを含んでいる。店舗主は、ドア１２内のコンデンサ基板２８を埋め込むコスト、および呼掛信号区域の物理的な制約を量ることで、埋込み型ボード２８を採用せず、その代わりとしてドア１２の近くの位置に状況板（situation board）２８を選択してもよい。コンデンサ基板２８がドア１２内に埋め込まれるならば、それは、それ自身が隠されたトラフ２４や、既存の隠されたトラフ２４か小溝内に設けられるだろう。ここで、隠されたトラフ２４や小溝には、アンテナ１８の別の部分も設けられる。
【００２７】
本発明は、アンテナ１８の少なくとも一部分を枠内に埋め込んだ、ドア１２を組立てる方法を具体化する。店舗主は、例えば、店の至る所で標識を付したアイテムをモニターするために監視システムを設置することを望む。店舗主は、店舗の入口か出口領域に設置されるドア１２又はドア１２、１４の組の注文を出すことができる。注文では、埋込み型アンテナ１８を有するドア１２も含むことができる。ドア１２は、恐らく共振コンデンサ基板２８のようなアンテナ１８の別の部分を伴う状態で、1個以上の小溝１６を有するように製造される。ここで、各小溝１６は１本以上のアンテナコイル１８を収容するように大きさを合わせられる。
【００２８】
小溝１６は、経路指定、押出加工、その他によってドア１２の枠２２の内に設けられると共に、アンテナ１８が隠されるか、少なくとも部分的に視界から隠れるように、アンテナ１８の部分がその中に挿入される。ドア１２は、ガラス、アルミニウム、または木材以外の、任意の材料より作られてもよい。ドア１２が店舗に到着すると、店舗内に影響を及ぼす改造作業の必要なしに、店舗の入口の近くで、監視システムの別の構成要素と電気的に接続された埋込み型アンテナ１８を設置することができる。
【００２９】
したがって、本発明は、小売店のような事業所が監視システムを設置することを可能にする有利な装置および方法を提供するもので、ここに、アンテナ１８は、店舗の入口か出口位置に隣接したドア１２内にあり、視界から隠されるか、又は少なくとも部分的に隠される。特に、本発明は、その枠２２の内に１個以上のくぼみや小溝１６を組込むドアを提供する。アンテナ１８の少なくとも一部分が小溝１６内に差し込まれる。一実施例では、共振コンデンサ基板２８も、ドア１２の枠２２の中のトラフ２４内に埋め込まれる。別の実施例では、コンデンサ基板２８はドア１２内に埋め込まれず、別々の位置に設けられるものでもよく、コンデンサ基板２８は埋込み型アンテナ１８と電子通信の状態に設定される。
【００３０】
注目すべきは、本発明はその精神や本質的な特質から外れずに、別の特定の形式で具体化することができる。また、従って、発明の範囲を表示するものは、上述の明細書ではなく、以下の請求項を基準とするべきである。
【図１】
2009545070.tif 000003
【図２】
2009545070.tif 000004
【図３】
2009545070.tif 000005
【図４】
2009545070.tif 000006
【図５】
2009545070.tif 000007
【図６】
2009545070.tif 000008
【図７】
2009545070.tif 000009
【国際調査報告】
2009545070.tif 000010
2009545070.tif 000011
2009545070.tif 000012